(57)【特許請求の範囲】
【請求項１】
長手方向において、一般部用のランナー構成材と、端部用のランナー構成材とに分割され、これらランナー構成材を直列にしてスライド嵌合することで、長さ寸法を大小調整できるようになされていると共に、前記端部用のランナー構成材の先端部に下地スタッドを位置決め状態に係合保持する位置決め手段が備えられた間仕切りランナーを用い、
この間仕切りランナーを所要の長さ寸法に設定して取付け側に取り付けると共に、前記端部用ランナーの先端部に、そこに備えられている位置決め手段を利用して下地スタッドを建て込むことを特徴とする間仕切り壁の施工方法。
【請求項２】
間仕切りランナーが、長手方向において、一般部用のランナー構成材と、端部用のランナー構成材とに分割され、これらランナー構成材を直列にしてスライド嵌合することで、長さ寸法を大小調整できるようになされていると共に、前記端部用のランナー構成材の先端部に下地スタッドを位置決め状態に係合保持する位置決め手段が備えられており、
この間仕切りランナーが、所要の長さ寸法に設定されて、取付け側に取り付けられていると共に、前記端部用ランナーの先端部に、そこに備えられている位置決め手段を利用して下地スタッドを建て込まれていることを特徴とする間仕切り壁の構造。
【請求項３】
長手方向において、一般部用のランナー構成材と、端部用のランナー構成材とに分割され、これらランナー構成材を直列にしてスライド嵌合することで、長さ寸法を大小調整できるようになされていると共に、前記端部用のランナー構成材の先端部に下地スタッドを位置決め状態に係合保持する位置決め手段が備えられていることを特徴とする間仕切りランナーの構造。
【発明の詳細な説明】
【０００１】
【発明の属する技術分野】
本発明は、間仕切り壁の施工方法、構造及び間仕切りランナーの構造に関する。
【０００２】
【関連する技術】
間仕切り壁として、天井側に下向き開放の断面コ字状の鋼製ランナーを取り付け、床側にも上向き開放の断面コ字状の鋼製ランナーを取り付け、これら上下のランナー内に縦向きにした鋼製の角スタッドの上下の端部を嵌合して保持させ、この角スタッドをランナーの延びる方向に間隔的に並べ、これら角スタッドを下地として、両側に面材を取り付けて間仕切り壁とする構成のものがある。
【０００３】
例えば、この間仕切り壁の施工において、この間仕切り壁の先に、建物の内外を仕切る外壁や、直交する方向に延びる他の間仕切り壁、あるいは開口部のドア枠などがくるような場合、これらの外壁、他の間仕切り壁、開口部などとの関係において、ランナーをこれらから逃げさせ、あるいは飛び出させるため、ランナーの長さ寸法を大小調整しなければならないことがある。
【０００４】
このような場合のランナーの長さ寸法の調整方法として、現場で、高速切断機、切断砥石などを用いて、ランナーを所要の長さ寸法に切断する方法が考えられる。
【０００５】
【発明が解決しようとする課題】
しかしながら、ランナーを現場で切断することは、現場での施工を非常に厄介なものにしてしまう。また、正確に切断することもなかなかに難しい。更に、高速切断機などを用いて切断加工すると、火花が発生することがあり、安全面での問題もある。更に、切断位置に狂いを生じ、ランナーを所要の寸法より短く切断した場合に、そのランナーを使えなくなるという問題もある。
【０００６】
そこで、すべての納まり状態を予め把握し、それに基づいて所要の長さ寸法に設計、製作した多数種類のランナー構成材を用意し、これらを現場に取り付けていくという方法も考えられるが、それでは、ランナーの設計や製作が非常に煩雑になるのみならず、現場での部品管理や、施工に際しての部品の選択が厄介である。
【０００７】
本発明は、上記のような問題点に鑑み、ランナーの長さ寸法調整のための現場でのランナー切断加工を排除することができ、しかも、ランナーの長さ寸法を容易にかつ正確に大小調整することができるようにすることを課題とする。
【０００８】
【発明が解決しようとする課題】
上記の課題は、長手方向に第１、第２の少なくとも２つのランナー構成材に分割され、これらランナー構成材を直列にしてスライド嵌合することで、長さ寸法を大小調整できるようになされた間仕切りランナーを用い、
この間仕切りランナーを所要の長さ寸法に設定し、取付け側に取り付けることを特徴とする間仕切り壁の施工方法によって解決される。
【０００９】
また、間仕切りランナーが、長手方向に第１、第２の少なくとも２つのランナー構成材に分割され、これらランナー構成材を直列にしてスライド嵌合することで、長さ寸法を大小調整できるようになされており、
この間仕切りランナーが、所要の長さ寸法に設定されて、取付け側に取り付けられていることを特徴とする間仕切り壁の構造によって解決される。
【００１０】
また、長手方向に第１、第２の少なくとも２つのランナー構成材に分割され、これらランナー構成材を直列にしてスライド嵌合することで、長さ寸法を大小調整できるようになされていることを特徴とする間仕切りランナーの構造によって解決される。
【００１１】
上記の方法及び構造では、ランナー構成材同士を相対的に接近・離反方向にスライドさせることで、ランナーの長さ寸法を大小調整することができる。従って、ランナーの長さ寸法の調整のための現場でのランナーの切断加工を排除することができる。また、ランナー構成材同士を相対的に接近・離反方向にスライドさせるだけでランナーの長さ寸法を大小調整できるから、ランナーの長さ寸法の調整を、容易に、しかも失敗なく正確に遂行することができる。更に、調整したつもりのランナーの長さ寸法に狂いがあって短かったような場合でも、後から容易に長く調整し直すことができる。
【００１２】
加えて、上記のようにランナーの長さ寸法を大小調整できる構成とすることで、ランナーを汎用化でき、長さ寸法の大小異なる多数種類のランナーを用いて施工を行う場合に比べ、ランナーの設計、製作を容易に行うことができると共に、現場での施工も、ランナーの部品を取り違えたりすることなく適正かつ容易に遂行することができる。
【００１３】
間仕切りランナーに、下地スタッドをランナーに沿う特定の位置に位置決め状態に係合保持する位置決め手段が備えられ、この位置決め手段で下地スタッドが位置決めされている場合は、下地スタッドをランナーに対して適正な位置に容易に設置することができる。
【００１４】
特に、上記のように、ランナー構成材同士のスライド嵌合によって長さ寸法を大小調整できる構造のランナーとの組み合わせにおいて、このような位置決め手段を、ランナー構成材におけるランナーの端となる先端部に備えさせる場合は、ランナーの長さ寸法を大小調整しても、位置決め手段は常にランナーの端部に存在するから、ランナー端部への下地スタッドの建込みを、この位置決め手段を用いて、正確かつ作業性良く遂行することができる。
【００１５】
【発明の実施の形態】
次に、本発明の実施形態を図面に基づいて説明する。
【００１６】
本実施形態の間仕切り壁の基本構造を示す図５において、１，２は上下のランナー、３…は角スタッド、４，４は面材である。
【００１７】
本実施形態のランナー１，２は、角スタッド３を保持するもので、横断面形状はコ字状をしており、上ランナー１はその開放側を下向きにして天井面５に取り付けられ、下ランナー２はその開放側を上向きにして床面６に取り付けられている。ランナー１，２は、例えば軽鉄材などからなる。
【００１８】
角スタッド３は、面材４，４を取り付ける下地となるもので、断面方形の角パイプ状の部材からなり、縦向きにされ、その上下の端部を上下のランナー１，２の内部に嵌合することで、上下のランナー１，２によって保持されている。各ランナー１，２の相対向する側壁は、角スタッド３を保持しない自然状態において、内向きに傾斜されており、この側壁を角スタッド３の嵌合により外方に開き、それにより発生する弾性復元力で角スタッド３の端部を保持するようになされている。この角スタッド３は、ランナー１，２の長手方向に沿って所定の間隔おきに複数本建て込まれる。角スタッド３は、例えば軽鉄材などからなる。
【００１９】
そして、面材４，４が、角スタッド３…を下地として、角スタッド３…を挟む両側から取り付けられている。面材４は、例えば石こうボードなどからなる。
【００２０】
上記の間仕切り壁において、その先に外壁や他の間仕切り壁、開口部のドア枠等がくる場合がある。図１及び図３は、外壁や他の間仕切り壁７がくる場合を示しており、間仕切り壁のランナー１，２は、この外壁や他の間仕切り壁７の芯位置から逃げるように控えさせて取り付けなければならない。
【００２１】
そのため、本実施形態の間仕切りランナー２は、その長手方向において、一般部用のランナー構成材２ａと、端部用のランナー構成材２ｂとに分割されており、これらランナー構成材２ａ，２ｂを直列にし、スライド嵌合することで、ランナー２の長さ寸法を大小調整することができるようになっている。即ち、一般部用ランナー構成材２ａは、その先に外壁や他の間仕切り壁７があるような場合であっても、これを床面６に設置して取り付けた状態で、その端部が外壁や他の間仕切り壁７から離間されるよう、その長さ寸法が予め短く設計されており、ランナー２は、このように設計された一般部用ランナー構成材２ａの長さ寸法の不足分を端部用ランナー２ｂで補うことで、外壁や他の間仕切り壁７の芯位置から逃げるように控えて取り付けることができるようになっているのである。もう一方のランナー１についても同様である。
【００２２】
具体的には、図２に示すように、端部用ランナー構成材２ｂは、一般部用ランナー構成材２ａと同じ横断面コ字状の部材であり、長手方向の中間部を挟む一方の側８が、一般部用ランナー構成材２ａと同じ横断面サイズに形成されており、もう一方の側９が、段１０を介して、一般部用ランナー構成材２ａよりも細く絞られていて、この部分９が一般部用ランナー構成材２ａの端部内方に、スライド嵌合されるようになっている。これにより、端部用ランナー構成材２ｂをランナーの長手方向にスライドさせ、一般部ランナー構成材２ａに対する端部用ランナー構成材２ｂの嵌め込み深さを大きくすることでランナー２の長さ寸法を短く調整することができ、また、端部用ランナー構成材２ｂの嵌め込み深さを小さくすることでランナー２の長さ寸法を長く調整することができるようになっている。
【００２３】
ランナー２の施工は、図１（イ）に示すように、一般部用のランナー構成材２ａを、他の間仕切り壁７から離間するよう控えさせて床面６に取り付け、そして、図１（ロ）に示すように、端部用ランナー構成材２ｂを一般部用ランナー構成材２ａの端部に嵌合する。そして、図１（ハ）に示すように、端部用ランナー構成材２ｂを長手方向にスライドさせ、端部用ランナー構成材２ｂの先端位置を、外壁や他の間仕切り壁７の芯位置から所定の寸法控えさせた位置に位置させるよう調整し、この調整後、端部用ランナー２ｂを床面６に取り付ける。天井５側のランナー１についても同様である。
【００２４】
このように、上記のような構造のランナー１，２を使用することにより、ランナーを現場で長さ寸法調整のために切断する必要がなく、ランナー１，２の長さ寸法の調整を容易にしかも正確に行うことができる。また、調整したつもりのランナーの長さ寸法に狂いがあって短かったような場合でも、端部用ランナー構成材１ｂ，２ｂをスライドさせて再調整することで、後から容易に長く調整し直すことができる。
【００２５】
こうして天井側５と床側６とにランナー１，２を取り付けた後、角スタッド３…を建て込む。なお、一般部ランナー構成材１ａ，２ａの取付けを行った後、一般部の角スタッド３の建込みを行い、その後、端部ランナー構成材１ｂ，２ｂの取付けを行い、端部の角スタッド３の建込みを行うというようにしてもよい。角スタッド３の建込みを容易にしかも適正、正確に行いうるよう、本実施形態では次のような構成が採られている。
【００２６】
即ち、図４（イ）（ロ）に示すように、本実施形態で使用する角スタッド３は、剛性確保の目的などから、その側壁が横方向に凹凸を繰り返す波形に成形されており、ランナー１，２の内部に端部が嵌め込まれた状態で、ランナーの両側壁１１，１１と対向する側面に、上下方向に延びる凹所１２が存在する。
【００２７】
この凹所１２を角スタッド３側の係合部とし、角スタッド３の端部を挟み込むランナーの両側壁１１，１１に、図４（イ）（ロ）に示すように、この凹所１２内に嵌合される突起１３が形成されている。
【００２８】
角スタッド３の建込みは、例えば、突起１３と隣り合う位置において角スタッド３の端部をランナー１，２の内部の嵌合し、そして、角スタッド３を突起１３のある側に移動させ、突起１３を角スタッド３の凹所１２内に嵌合させる。これにより、角スタッド３は、突起１３に位置決めされて、ランナー１，２の長手方向における所定の位置に位置決め状態に保持されて建て込まれる。また、突起１３が凹所１２内に適正に嵌合されていない場合は、ランナー１，２の側壁１１が外方に変形されるから、角スタッド３の立ちが適正か否かを目視にて容易に確認することができる。また、突起１３が凹所１２内に嵌合されるとカチッと音のする構成とする場合は、角スタッド３の立ちが適正であるか否かの耳で確認することができる。なお、図４（イ）に示すように、突起１３を円弧状にすることで、角スタッド３の建込みをスムーズに行うことができ、図４（ロ）に示すように、方形状とすることで、角スタッド３を位置決め状態にしっかりと固定することができる。
【００２９】
また、図４（ハ）に示すように、角スタッド３の側壁に孔１４をあけ、ランナー１，２の側壁１１に、内方に突出する板バネ突起１５を設け、板バネ突起１５を角スタッド３の孔１４に嵌合させる構成としてもよい。あるいはまた、図示しないけれども、角スタッド３側に設けた凸を、ランナー１，２側に設けた凹に嵌合させることによって角スタッド３をランナー２に位置決め状態に保持させる構成としてもよいことはいうまでもない。要は、角スタッド３が何らかのかたちで、ランナー１，２の長手方向の特定の位置において位置決め状態に係合保持される構成であればよい。
【００３０】
そして、ランナー１，２には、その一般部用ランナー構成材１ａ，２ａに、このような位置決め手段１３，１５が備えられているだけでなく、端部用ランナー構成材１ｂ，２ｂの先端部にも備えられている。端部用ランナー構成材１ｂ，２ｂは、ランナー１，２の長さ調整のためにスライドさせて動かされる部材であり、このようなランナー構成材１ｂ，２ｂに予め角スタッド３の建込みのための位置決め手段１３，１５を備えさせておくことで、このような調整のためスライドされて動かされるランナー構成材１ｂ，２ｂへの角スタッド３の建込みを容易にしかも適正、正確に行うことができる。特に、外壁や他の間仕切り壁７に沿って角スタッド３を建て込む場合には、図１及び図２に示すように、端部用ランナー１ｂ，２ｂにおいて、ランナー１，２の端となる先端部に位置決め手段１３を備えさせておくことで、この位置決め手段１３を利用して、角スタッド３を外壁や他の間仕切り壁７に沿う適正な位置に正確にかつ容易に建て込むことが可能となる。
【００３１】
以上に、本発明の実施形態を示したが、本発明はこれに限られるものではなく、発明思想を逸脱しない範囲で、各種の変更が可能である。例えば、上記の実施形態では、ランナーを一般部用ランナー構成材と端部用ランナー構成材とで構成しているが、一般部用ランナー構成材同士をスライド嵌合させて長さ寸法を調整する構成としてもよい。また、ランナーを構成するランナー構成材の本数に制限はなく、ランナーが３本以上のランナー構成材で構成されていてもよい。スライド嵌合し合うのが３本以上であってもよいし、スライド嵌合し合わないものも含めて３本以上であってもよい。また、ランナーの横断面形状についても、コ字状のものに限られるものではないし、スライド嵌合させるための構造も、長さ寸法を大小調整できるようスライド嵌合されるものであれば、いずれのスライド嵌合構造が採用されてもよい。また、ランナーの材質も、その他の金属、樹脂、木などであってもよい。間仕切り壁についても、上記のような角スタッド建て込み式のものに限られるものではなく、要は、ランナーを使用して間仕切り壁を形成するタイプのものであればよい。また、ランナーも角スタッドを保持するためのものでなくてもよく、面材や面材パネル、間仕切りパネル等を取り付けるためなどのランナーであってもよい。また、本発明の間仕切り壁は、室と室とを仕切る壁の他、室と外壁とを仕切る壁などをも含むものであることはいうまでもない。
【００３２】
【発明の効果】
上述の次第で、本発明は、以上のとおりのものであるから、ランナーの長さ寸法調整のための現場でのランナー切断加工を排除することができ、しかも、ランナーの長さ寸法を容易にかつ正確に大小調整することが可能である。
【図面の簡単な説明】
【図１】図（イ）乃至図（ハ）は実施形態の間仕切り壁のランナーの施工方法を順次に示す平面図である。
【図２】図（イ）及び図（ロ）はそれぞれランナーの斜視図である。
【図３】一般部用ランナー構成材と端部用ランナー構成材とを分離状態にして示す全体斜視図である。
【図４】図（イ）乃至図（ハ）はそれぞれ角スタッドの位置決め手段を示す斜視図である。
【図５】間仕切り壁の基本構造を示すもので、図（イ）は断面側面図、図（ロ）は天井側の斜視図、図（ハ）は床側の斜視図である。
【符号の説明】
１…上ランナー
１ａ…一般部用ランナー構成材（第１ランナー構成材）
１ｂ…端部用ランナー構成材（第２ランナー構成材）
２…下ランナー
２ａ…一般部用ランナー構成材（第１ランナー構成材）
２ｂ…端部用ランナー構成材（第２ランナー構成材）
１３，１５…突起（位置決め手段）
【図１】
0004519971.tif 000002
【図２】
0004519971.tif 000003
【図３】
0004519971.tif 000004
【図４】
0004519971.tif 000005
【図５】
0004519971.tif 000006